【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子に光を集光するレンズ群と、
信号処理部と、
を備え、
前記撮像素子は、
画素が行列状に２次元配置された画素アレイ部上に設けられ、輝度信号の主成分の色に対応する白色フィルタが市松状に配置され、赤色と青色の各フィルタが縦横２画素ピッチの市松配列で、且つ赤色と青色の各フィルタ間が斜め１画素ズレで、残りが緑色フィルタとなっている色配列の色フィルタ部と、
前記画素アレイ部と同じ基板上に設けられ、当該画素アレイ部の各画素から出力される前記色フィルタ部の色配列に対応した信号をベイヤ配列に対応した信号に変換して前記信号処理部に出力する変換処理部と、
を備え、
前記信号処理部は、前記変換処理部から出力される前記ベイヤ配列に対応した信号を基に輝度信号および色差信号を生成する
撮像装置。
【請求項２】
前記色フィルタ部の色配列は、前記緑色フィルタが斜め方向、縦方向または横方向において４画素単位でストライプ状の配列となっており、
前記変換処理部は、白色フィルタの画素に隣接する１つまたは２つの緑色の画素の信号を当該白色フィルタの画素の信号に加算して輝度信号の主成分に利用する
請求項１記載の撮像装置。
【請求項３】
撮像素子と、
前記撮像素子に光を集光するレンズ群と、
信号処理部と、
を備え、
前記撮像素子は、
画素が行列状に２次元配置された画素アレイ部上に設けられ、輝度信号の主成分の色に対応する白色フィルタが市松状に配置され、赤色と青色の各フィルタが縦横４画素ピッチの正方配列で、且つ赤色と青色の各フィルタ間が斜め１画素ズレで、残りが緑色フィルタとなっている色配列の色フィルタ部と、
前記画素アレイ部と同じ基板上に設けられ、当該画素アレイ部の各画素から出力される前記色フィルタ部の色配列に対応した信号をベイヤ配列に対応した信号に変換して前記信号処理部に出力する変換処理部と、
を備え、
前記信号処理部は、前記変換処理部から出力される前記ベイヤ配列に対応した信号を基に輝度信号および色差信号を生成する
撮像装置。
【請求項４】
撮像素子と、
前記撮像素子に光を集光するレンズ群と、
信号処理部と、
を備え、
前記撮像素子は、
画素が行列状に２次元配置された画素アレイ部上に設けられ、輝度信号の主成分の色に対応する白色フィルタが市松状に配置され、赤色と青色の各フィルタが縦横４画素ピッチの正方配列で、且つ赤色と青色の各フィルタ間が斜め２画素ズレで、残りが緑色フィルタとなっている色配列の色フィルタ部と、
前記画素アレイ部と同じ基板上に設けられ、当該画素アレイ部の各画素から出力される前記色フィルタ部の色配列に対応した信号をベイヤ配列に対応した信号に変換して前記信号処理部に出力する変換処理部と、
を備え、
前記信号処理部は、前記変換処理部から出力される前記ベイヤ配列に対応した信号を基に輝度信号および色差信号を生成する
撮像装置。
【請求項５】
撮像素子と、
前記撮像素子に光を集光するレンズ群と、
信号処理部と、
を備え、
前記撮像素子は、
画素が行列状に２次元配置された画素アレイ部上に設けられ、輝度信号の主成分の色に対応する白色フィルタが市松状に配置され、赤色と青色の各フィルタが縦横２画素ピッチの正方配列で、且つ赤色と青色の各フィルタ間が斜め１画素ズレとなっている色配列の色フィルタ部と、
前記画素アレイ部と同じ基板上に設けられ、当該画素アレイ部の各画素から出力される前記色フィルタ部の色配列に対応した信号をベイヤ配列に対応した信号に変換して前記信号処理部に出力する変換処理部と、
を備え、
前記信号処理部は、前記変換処理部から出力される前記ベイヤ配列に対応した信号を基に輝度信号および色差信号を生成する
撮像装置。
【請求項６】
撮像素子と、
前記撮像素子に光を集光するレンズ群と、
信号処理部と、
を備え、
前記撮像素子は、
画素が行列状に２次元配置された画素アレイ部上に設けられ、輝度信号の主成分の色に対応する白色フィルタが市松状に配置され、赤色と青色の各フィルタが縦横４画素ピッチの正方配列で、且つ赤色と青色の各フィルタ間が斜め方向に２画素単位で並び、残りが緑色フィルタとなっている色配列の色フィルタ部と、
前記画素アレイ部と同じ基板上に設けられ、当該画素アレイ部の各画素から出力される前記色フィルタ部の色配列に対応した信号をベイヤ配列に対応した信号に変換して前記信号処理部に出力する変換処理部と、
を備え、
前記信号処理部は、前記変換処理部から出力される前記ベイヤ配列に対応した信号を基に輝度信号および色差信号を生成する
撮像装置。
【請求項７】
前記色フィルタ部の色配列は、前記緑色フィルタが斜め方向、縦方向または横方向において４画素単位でストライプ状の配列となっており、
前記変換処理部は、白色フィルタの画素に隣接する１つまたは２つの緑色の画素の信号を当該白色フィルタの画素の信号に加算して輝度信号の主成分に利用する
請求項６記載の撮像装置。
【請求項８】
画素が行列状に２次元配置された撮像素子の画素アレイ部に入射する被写体からの光を、輝度信号の主成分の色に対応する白色フィルタが市松状に配置され、赤色と青色の各フィルタが縦横２画素ピッチの市松配列で、且つ赤色と青色の各フィルタ間が斜め１画素ズレで、残りが緑色フィルタとなっている色配列の色フィルタ部を通して受光し、
前記画素アレイ部の各画素から出力される前記色フィルタ部の色配列に対応した信号を、ベイヤ配列に対応した信号に変換し、
前記ベイヤ配列に対応した信号を基に輝度信号および色差信号を生成する
撮像及び信号処理方法。
【請求項９】
前記色フィルタ部の色配列は、前記緑色フィルタが斜め方向、縦方向または横方向において４画素単位でストライプ状の配列となっており、
白色フィルタの画素に隣接する１つまたは２つの緑色の画素の信号を当該白色フィルタの画素の信号に加算して輝度信号の主成分に利用する
請求項８記載の撮像及び信号処理方法。
【請求項１０】
画素が行列状に２次元配置された撮像素子の画素アレイ部に入射する被写体からの光を、輝度信号の主成分の色に対応する白色フィルタが市松状に配置され、赤色と青色の各フィルタが縦横４画素ピッチの正方配列で、且つ赤色と青色の各フィルタ間が斜め１画素ズレで、残りが緑色フィルタとなっている色配列の色フィルタ部を通して受光し、
前記画素アレイ部の各画素から出力される前記色フィルタ部の色配列に対応した信号を、ベイヤ配列に対応した信号に変換し、
前記ベイヤ配列に対応した信号を基に輝度信号および色差信号を生成する
撮像及び信号処理方法。
【請求項１１】
画素が行列状に２次元配置された撮像素子の画素アレイ部に入射する被写体からの光を、輝度信号の主成分の色に対応する白色フィルタが市松状に配置され、赤色と青色の各フィルタが縦横４画素ピッチの正方配列で、且つ赤色と青色の各フィルタ間が斜め２画素ズレで、残りが緑色フィルタとなっている色配列の色フィルタ部を通して受光し、
前記画素アレイ部の各画素から出力される前記色フィルタ部の色配列に対応した信号を、ベイヤ配列に対応した信号に変換し、
前記ベイヤ配列に対応した信号を基に輝度信号および色差信号を生成する
撮像及び信号処理方法。
【請求項１２】
画素が行列状に２次元配置された撮像素子の画素アレイ部に入射する被写体からの光を、輝度信号の主成分の色に対応する白色フィルタが市松状に配置され、赤色と青色の各フィルタが縦横２画素ピッチの正方配列で、且つ赤色と青色の各フィルタ間が斜め１画素ズレとなっている色配列の色フィルタ部を通して受光し、
前記画素アレイ部の各画素から出力される前記色フィルタ部の色配列に対応した信号を、ベイヤ配列に対応した信号に変換し、
前記ベイヤ配列に対応した信号を基に輝度信号および色差信号を生成する
撮像及び信号処理方法。
【請求項１３】
画素が行列状に２次元配置された撮像素子の画素アレイ部に入射する被写体からの光を、輝度信号の主成分の色に対応する白色フィルタが市松状に配置され、赤色と青色の各フィルタが縦横４画素ピッチの正方配列で、且つ赤色と青色の各フィルタ間が斜め方向に２画素単位で並び、残りが緑色フィルタとなっている色配列の色フィルタ部を通して受光し、
前記画素アレイ部の各画素から出力される前記色フィルタ部の色配列に対応した信号を、ベイヤ配列に対応した信号に変換し、
前記ベイヤ配列に対応した信号を基に輝度信号および色差信号を生成する
撮像及び信号処理方法。
【請求項１４】
前記色フィルタ部の色配列は、前記緑色フィルタが斜め方向、縦方向または横方向において４画素単位でストライプ状の配列となっており、
白色フィルタの画素に隣接する１つまたは２つの緑色の画素の信号を当該白色フィルタの画素の信号に加算して輝度信号の主成分に利用する
請求項１３記載の撮像及び信号処理方法。
【手続補正２】
【補正対象書類名】明細書
【補正対象項目名】発明の名称
【補正方法】変更
【補正の内容】
【発明の名称】撮像装置、撮像及び信号処理方法
【手続補正３】
【補正対象書類名】明細書
【補正対象項目名】０００１
【補正方法】変更
【補正の内容】
【０００１】
本発明は、撮像装置、撮像及び信号処理方法に関する。
【手続補正４】
【補正対象書類名】明細書
【補正対象項目名】０００８
【補正方法】変更
【補正の内容】
【０００８】
そこで、本発明は、輝度信号の主成分となる色が市松状に配置されたカラーコーディングを用いるに当たって、既存のＲＧＢベイヤ配列用のＤＳＰの使用を可能にした撮像装置、撮像及び信号処理方法を提供することを目的とする。
【手続補正５】
【補正対象書類名】明細書
【補正対象項目名】０００９
【補正方法】変更
【補正の内容】
【０００９】
上記目的を達成するために、撮像装置は、画素が行列状に２次元配置された画素アレイ部上に設けられ、輝度信号の主成分の色に対応する白色フィルタが市松状に配置され、赤色と青色の各フィルタが縦横２画素ピッチの市松配列で、且つ赤色と青色の各フィルタ間が斜め１画素ズレで、残りが緑色フィルタとなっている色配列の色フィルタ部と、前記画素アレイ部と同じ基板上に設けられ、当該画素アレイ部の各画素から出力される前記色フィルタ部の色配列に対応した信号をベイヤ配列に対応した信号に変換して出力する変換処理部とを備えた構成を採っている。
あるいは、上記色配列に代えて、主成分色の白色フィルタが市松状に配置され、赤色と青色の各フィルタが縦横４画素ピッチの正方配列で、且つ赤色と青色の各フィルタ間が斜め１画素ズレで、残りが緑色フィルタとなっている色配列とする。
あるいは、上記色配列に代えて、主成分色の白色フィルタが市松状に配置され、赤色と青色の各フィルタが縦横４画素ピッチの正方配列で、且つ赤色と青色の各フィルタ間が斜め２画素ズレで、残りが緑色フィルタとなっている色配列とする。
あるいは、上記色配列に代えて、主成分色の白色フィルタが市松状に配置され、赤色と青色の各フィルタが縦横２画素ピッチの正方配列で、且つ赤色と青色の各フィルタ間が斜め１画素ズレとなっている色配列とする。
あるいは、上記色配列に代えて、主成分色の白色フィルタが市松状に配置され、赤色と青色の各フィルタが縦横４画素ピッチの正方配列で、且つ赤色と青色の各フィルタ間が斜め方向に２画素単位で並び、残りが緑色フィルタとなっている色配列とする。
撮像及び信号処理方法では、上述した色配列が異なる５つの色フィルタ部の何れかを用いて、被写体からの光を画素アレイ部で受光する。
【手続補正６】
【補正対象書類名】明細書
【補正対象項目名】００１０
【補正方法】変更
【補正の内容】
【００１０】
上記構成の撮像装置、撮像及び信号処理方法において、市松状に配置される色が、輝度信号の主成分となる色であることで、当該主成分となる色の信号を用いてその上下左右の他の色の信号を復元することができる。したがって、色フィルタ部の色配列に対応した信号をベイヤ配列に対応した信号に変換する際の変換効率を高くできる。そして、画素アレイ部が形成された基板（センサチップ）からベイヤ配列に対応した信号が出力されることで、後段の信号処理部として既存のベイヤ配列用のＤＳＰを用いることができる。